(57)【要約】      （修正有）【課題】凝固点を下回る温度の時に、内燃機関の排ガス浄化触媒装置のための尿素供給システムを短時間で動作準備の整った状態にする方法を提示する。【解決手段】液体を融解するためのインサートヒータ８を備え、前記インサートヒータ８は、ハウジング２０の中に配置された少なくとも１つの発熱体と、液体に浸けるために前記ハウジング２０に取り付けられたプラスチック製の吸入パイプ２１と、前記ハウジング２０を起点として前記吸入パイプ２１に沿って延びる少なくとも１つの電気的接続配線２２、２３とを備え、前記吸入パイプ２１は少なくとも１つの前記接続配線２２、２３を支持する。【選択図】図２
2008293978.tif 000002
【特許請求の範囲】
【請求項１】
液体を融解するためのインサートヒータであって、
ハウジング（２０）の中に配置された少なくとも１つの発熱体と、
液体に浸けるために前記ハウジング（２０）に取り付けられたプラスチック製の吸入パイプ（２１）と、
前記ハウジング（２０）を起点として前記吸入パイプ（２１）に沿って延びる少なくとも１つの電気的接続配線（２２、２３）とを備えてなる、インサートヒータにおいて、
前記吸入パイプ（２１）は少なくとも１つの前記接続配線（２２、２３）を支持していることを特徴とするインサートヒータ。
【請求項２】
前記吸入パイプ（２１）は、前記ハウジング（２０）を起点として吸入方向に自立式に延びて少なくとも１つの前記接続配線（２２、２３）を支持する区域を有していることを特徴とする請求項１記載のインサートヒータ。
【請求項３】
前記吸入パイプ（２１）は前記ハウジング（２０）で支持される別の区域を有しており、自立式の前記区域は支持される前記区域より少なくとも２倍長く、好ましくは少なくとも３倍長いことを特徴とする請求項２記載のインサートヒータ。
【請求項４】
前記吸入パイプ（２１）は、液体を輸送するための通路（２７、２８）と、少なくとも１つの前記接続配線（２２）が中に配置された別の通路（３１）とを有していることを特徴とする請求項１〜３のいずれか１項に記載のインサートヒータ。
【請求項５】
前記吸入パイプ（２１）は継目（２６）を有しており、該継目の背後に前記別の通路（３１）が少なくとも１つの前記接続配線（２２）とともに延びていることを特徴とする請求項４記載のインサートヒータ。
【請求項６】
少なくとも１つの前記接続配線（２２、２３）は前記吸入パイプ（２１）の外套面に配置されていることを特徴とする請求項１〜５のいずれか１項に記載のインサートヒータ。
【請求項７】
第１の接続配線（２２）は前記別の通路（３１）に配置されており、第２の接続配線（２３）は前記吸入パイプ（２１）の外套面に配置されていることを特徴とする請求項４および６記載のインサートヒータ。
【請求項８】
前記吸入パイプ（２１）はプラスチック外装（２４）で取り囲まれていることを特徴とする請求項１〜７のいずれか１項に記載のインサートヒータ。
【請求項９】
前記プラスチック外装（２４）は熱収縮チューブであることを特徴とする請求項８記載のインサートヒータ。
【請求項１０】
少なくとも１つの前記接続配線（２２、２３）はリッツ線であることを特徴とする請求項１〜９のいずれか１項に記載のインサートヒータ。
【請求項１１】
少なくとも１つの前記接続配線（２２、２３）は抵抗発熱材料でできており、好ましくは特殊鋼でできていることを特徴とする請求項１〜１０のいずれか１項に記載のインサートヒータ。
【請求項１２】
少なくとも１つの前記接続配線（２２、２３）は１メートルあたり０．３Ω〜２．５Ωの電気抵抗を有していることを特徴とする請求項１〜１１のいずれか１項に記載のインサートヒータ。
【請求項１３】
少なくとも１つの前記接続配線（２２、２３）はプラスチック外套で取り囲まれていることを特徴とする請求項１〜１２のいずれか１項に記載のインサートヒータ。
【請求項１４】
前記ハウジング（２０）はプラスチック外套を備える金属ハウジングであることを特徴とする請求項１〜１３のいずれか１項に記載のインサートヒータ。
【請求項１５】
前記ハウジング（２０）は少なくとも１つの前記接続配線（２２、２３）を取り囲むシール材（２９）によって液体の侵入に対して封止されており、前記シール材（２９）は前記接続配線（２２、２３）に外嵌されたプラスチック成形品であることを特徴とする請求項１〜１４のいずれか１項に記載のインサートヒータ。
【請求項１６】
前記プラスチック成形品（２９）はプラスチックキャップ（３０）を支持していることを特徴とする請求項１５記載のインサートヒータ。
【請求項１７】
前記プラスチックキャップ（３０）は前記ハウジング（２０）のプラスチック外套と溶接されていることを特徴とする請求項１４および１６記載のインサートヒータ。
【請求項１８】
前記プラスチック成形品（２９）は、前記プラスチックキャップ（３０）で取り囲まれた区域で少なくとも１つの前記接続配線（２２、２３）を取り囲んでおり、前記プラスチックキャップ（３０）から及ぼされる圧着力は前記接続配線（２２、２３）に沿って前記ハウジング（２０）に向かうにつれて増大することを特徴とする請求項１６または１７記載のインサートヒータ。
【請求項１９】
前記プラスチック成形品（２９）は、前記ハウジング（２０）から離れるほうを向いていて前記プラスチックキャップ（３０）で取り囲まれている先細になった端部を有するテーパ状の区域によって、少なくとも１つの前記接続配線（２２、２３）を取り囲んでいることを特徴とする請求項１６〜１８のいずれか１項に記載のインサートヒータ。
【請求項２０】
少なくとも１つの前記接続配線（２２、２３）は巻回されずに前記吸入パイプ（２１）の長手方向に延びていることを特徴とする請求項１〜１９のいずれか１項に記載のインサートヒータ。
【請求項２１】
特に自動車の内燃機関の排ガス浄化触媒装置（１）のための尿素供給システムであって、
尿素溶液を収容するための尿素タンク（３）と、
凍結した尿素溶液を融解するための請求項１〜２０のいずれか１項に記載のインサートヒータ（８）と、
前記インサートヒータ（８）の吸入パイプ（２１）を前記排ガス浄化触媒装置（１）と接続する接続配管（６、１１）と、
前記接続配管（６、１１）を通じて尿素溶液を前記尿素タンク（３）から前記触媒装置（１）へ送り出すためのポンプ（５）と、
前記接続配管（２２、２３）から分岐して前記尿素タンク（３）へと通じるフィードバック配管（４）とを備えている、そのような尿素供給システムにおいて、
前記フィードバック配管（４）は、作動時に前記フィードバック配管（４）から外に出る尿素溶液が前記吸入パイプ（２１）を伝って流れ落ちるように構成されて配置されていることを特徴とする尿素供給システム。
【発明の詳細な説明】
【技術分野】
【０００１】
本発明は、請求項１のプレアンブルに記載された構成要件を備えるインサートヒータに関する。このような種類のインサートヒータは、たとえば排ガス浄化触媒装置へ還元剤を供給するために標準装備で自動車に組み込まれている尿素供給システムのために必要とされる。さらに本発明は、請求項２１のプレアンブルに記載された構成要件を備える尿素供給システムに関する。
【背景技術】
【０００２】
尿素は、排ガス浄化触媒装置により、アンモニア供給体として必要とされるものである。厳寒時には尿素溶液が凍結する可能性があるため、尿素溶液をできるだけ迅速に融解して、触媒装置の作動に必要な尿素を提供できるようにするために、インサートヒータが必要となるが、インサートヒータを有するような尿素供給システムは知られている（特許文献１）。
【０００３】
特許文献１から知られているインサートヒータでは、吸入パイプと２つの電気的接続配線とが、ＰＴＣ発熱体に配置されたハウジングのフレームに支持されている。吸入パイプはΩ形の断面をもつ溝にクリップ止めされており、この溝が、吸入パイプの長さの最大の部分でこれを支持している。公知のインサートヒータにおける利点は、吸入パイプを溝へ押し込むことによって、ハウジングに、およびインサートヒータのフレームに、少ないコストで取り付けることができ、吸入パイプの中の尿素溶液を、フレームおよび加熱されるハウジングへの良好な熱結合によって、比較的迅速に融解することができることである。しかしながら、特に尿素溶液が吸入パイプの中で凍結した場合、尿素溶液が凍結したときに生じる容積膨張が、ハウジングから吸入パイプが外れるという事態につながる可能性があることが示されている。このようなケースでは、加熱されるハウジングとの接触が減るため、吸入パイプに含まれる尿素溶液を融解することがきわめて難しくなり、そのために、長い融解時間が経過してからでないと、触媒装置の動作に必要な尿素溶液を提供することができなくなる。
【０００４】
【特許文献１】国際公開第０６／１３１２０１号パンフレット
【発明の開示】
【０００５】
そこで本発明の課題は、凝固点を下回る温度のときに、内燃機関の排ガス浄化触媒装置のための尿素供給システムを短時間で確実に動作準備の整った状態にすることができる、低コストな方法を提示することにある。
【０００６】
この課題は、請求項１に記載された構成要件を備えるインサートヒータによって解決される。本発明の好ましい発展例は、従属請求項の対象となっている。
【０００７】
本発明のインサートヒータでは、吸入パイプは少なくとも１つの電気的接続配線を支持している。このようにして、尿素溶液の凍結が吸入パイプの撓曲を引き起している場合でさえ、吸入パイプに含まれている尿素溶液を融解するための抵抗発熱部として電気的接続配線を利用することができる。本発明によるインサートヒータの吸入パイプは、凍結時の尿素溶液の膨張に対して柔軟に対応し、その機能を損なうことなく撓曲することができる。
【０００８】
本発明によるインサートヒータの吸入パイプは、たとえば６０〜８０のショアＡのショア硬度をもつプラスチックを使用することによって撓曲可能に構成されていてよく、それにより、尿素タンクへインサートヒータを設置するために問題なく曲げることができ、また、尿素タンクの形状に合わせて適合化することができる。
【０００９】
さらに、上述した本発明の課題は、請求項２１に記載された構成要件を備える尿素供給システムによって解決される。このような種類の尿素供給システムでは、フィードバック配管は、作動時にフィードバック配管から外に出る尿素溶液が吸入パイプを伝って流れ落ちるように構成されている。このようにして、すでに加熱された尿素溶液によって吸入パイプを追加的に加熱することができ、吸入パイプとハウジングの周囲で絶縁をするエアギャップの発生に対処することができる。
【００１０】
本発明の上記以外の具体的事項や利点について、添付の図面を参照しながら、実施例を用いて説明する。ここに記載されている構成要件は、単独でも組み合わせの形でも、請求項の対象物となることができる。
【発明を実施するための最良の形態】
【００１１】
図１は、自動車の排ガス浄化触媒装置１と、これに付属する尿素供給システム２とを模式的に示している。排ガス浄化触媒装置１では、窒素酸化物（ＮＯ，ＮＯ2）がアンモニア（ＮＨ3）で還元されて窒素になる。そのために必要なアンモニアは、尿素供給システム２によって準備される尿素溶液から得られる。
【００１２】
図１に示す尿素供給システム２は、尿素溶液を収容するための尿素タンク３と、尿素タンク３を触媒装置１と接続する接続配管６、１１と、接続配管６、１１を通じて尿素溶液を尿素タンク３から触媒装置１へ送り出すためのポンプ５と、尿素タンク３の中の尿素溶液を加熱するためのインサートヒータ８とを含んでいる。インサートヒータ８は、尿素溶液を吸入するために接続配管１１につながれた吸入パイプを有している。接続配管１１からフィードバック配管４が分岐しており、このフィードバック配管は尿素タンク３へと通じており、それにより、加熱された尿素溶液を尿素タンク３へ送り返すことができるようになっている。
【００１３】
フィードバック配管４の出口部は、作動時にフィードバック配管から外に出る尿素溶液が、インサートヒータ８の吸入パイプを伝って流れ落ちるように構成されて配置されている。このようにして、インサートヒータ８と、融解されるべき尿素溶液の氷との間のエアギャップの発生に対処がなされ、吸入パイプが追加的に加熱される。さらに、タンク水位が低いときに、その場合には空中に位置することになる吸入パイプの発熱出力を、これを伝って流れ落ちる溶液によって吸収し、液体循環路へと供給することができる。
【００１４】
図示した実施例では、インサートヒータ８は融解容器９の中に配置されており、融解容器はフィードバック配管４および接続配管６の両方につながれており、図示した実施例では尿素タンク３の中に配置されている。融解容器９は、インサートヒータ８の発熱出力を、当初はまず第１に融解容器９に含まれている尿素溶液の加熱に利用することができるように作用する。融解容器９はおよそ１リットルの収容能力を有しており、通常は少なくとも０．２〜０．３リットルの尿素溶液を含んでおり、それにより、排ガス浄化触媒装置１の作動にとって十分な尿素量を格別に迅速に融解することができる。残りの尿素溶液の融解は、尿素供給システム２の機能を損なうことなく、これよりも後の時点で行うことができる。融解容器９は、尿素タンク３の中の液体に接する外壁を有している。この方策は、融解容器９の中で尿素溶液が融解した後に熱が尿素タンク３へ放出され、そのようにして、融解容器９のためにも尿素タンク３のためにも、インサートヒータ８を利用することができるという利点を有している。
【００１５】
接続配管６を介して、融解容器９からも尿素タンク３の残りの部分からも、尿素溶液を吸入することができる。すなわち接続配管は吸入パイプにつながれており、吸入パイプは融解容器９を貫通して尿素タンク３へ突入し、一方の吸入開口部によって融解容器から、また第２の吸入開口部によって尿素タンクから、それぞれ尿素溶液を吸入することができる。これ以上の詳細は図２および図３に示されており、あとでこれらの図面との関連で説明する。融解容器９は図示しないオーバーフロー開口部を有しており、それにより、第２の接続部７を介して尿素溶液が吸入されるときに、フィードバック配管４によって改善された熱分布を、融解容器９の外部にある残りの尿素溶液の融解にも利用することができる。
【００１６】
さらに尿素供給システム２は、空気圧縮機１３を備える空気備蓄部１２につながれた制御弁１０と、尿素溶液および空気を調量された量だけ触媒装置１へ供給することができる調量弁１４とを含んでいる。ポンプ５、弁９、１０、１８、および調量弁１４は、プローブ１６から触媒装置１の酸素分圧に関するデータを供給されるとともに温度検出器から尿素タンク３内の尿素温度に関するデータを供給される制御ユニット１５によって制御される。または、溶液の送出圧力を利用することによって、空気備蓄部を使用することなく、尿素溶液を触媒装置へ直接的に調量供給することもできる。
【００１７】
図２には、上に説明した尿素供給システム２に適したインサートヒータ８の実施例が示されている。このインサートヒータ８はハウジング２０を有しており、その中に少なくとも１つの発熱体が配置されている。ハウジング２０の中に複数の、たとえば２つの、ＰＴＣ発熱体が配置されているのが好ましい。ハウジング２０には、プラスチック製の吸入パイプ２１が取り付けられている。吸入パイプ２１は液体を吸入する役目を果たすものであり、その用途に即して供給配管につながれている。吸入パイプ２１は、たとえば６０〜８０ショアＡによるショア硬度をもつＥＰＤＭからなる、熱伝導性の高い弾性的なプラスチックパイプである。吸入パイプ２１は図２では短縮して図示されている。その長さは少なくとも１０ｃｍであるのが好ましいが、これより大幅に長くてもよく、たとえば３０ｃｍ以上、特に５０ｃｍ以上であってもよい。
【００１８】
吸入パイプ２１は、ハウジング２０を起点として延び、その中に配置された少なくとも１つの発熱体に電流を供給する、２つの電気的接続配線２２、２３を支持している。別の仕方で少なくとも１つの発熱体への接続が成立しているのであれば、原則として、ただ１つの電気的接続配線２２があれば足りる。接続配線２２、２３は、抵抗発熱材料、好ましくは特殊鋼、たとえばＶ２Ａ鋼やＶ４Ａ鋼などを含むプラスチック外套を有している。このようにして作動時に、オーム抵抗発熱による接続配線２２、２３の発熱が行われる。接続配線２２、２３から放出される熱は、これらを支持する接続パイプ２１およびその直接の周辺へと放出され、それにより、その中に含まれている氷が迅速に融解し、液体が吸い込まれるときに圧力補償を行うことができる間隙を溶解によって空けることができる。接続配線２２、２３は、吸入パイプ２１で支持されている区域では、１メートルあたり０．３Ω〜２．５Ωの抵抗をそれぞれ有している。接続配線２２、２３の抵抗は、接続配線２２、２３が、作動時に、吸入パイプの長さ１メートルあたり１５Ｗ〜４０Ｗの発熱出力をそれぞれ放出するように選択されているのが好ましい。
【００１９】
接続配線２２、２３の最善の抵抗は、車両の車内電源電圧に依存して決まる。乗用車向けのインサートヒータ８の場合、接続配線２２、２３は１メートルあたり０．４Ω〜０．６Ωの抵抗をそれぞれ有しているのが好ましく、商用車（トラック）向けのインサートヒータ８の場合には１メートルあたり１．７Ω〜２．５Ωである。
【００２０】
接続配線２２、２３は単純な線材として構成されていてよいが、リッツ線を使用するほうが好ましい。なぜならリッツ線は、線材と同じ断面積で、高い柔軟性を有しているからである。
【００２１】
図２に示すように、吸入パイプ２１は、ハウジング２０を起点として吸入方向へ自立式に延びて、接続配線２２、２３を支持する区域を有している。吸入パイプ２１の別の区域はハウジング２０で支持されている。この支持される区域は、好ましくはΩ形の断面を有するハウジング２０の溝に挿入されている。吸入パイプ２１の自立式の区域は、支持される区域よりも少なくとも２倍長く、好ましくは少なくとも３倍長い。このようにして、吸入パイプ２１が撓曲することができ、吸入方向と反対を向いているほうの吸入パイプの端部の向きを、ハウジング２０に対して相対的に変えることができる。このことは、尿素タンクへのインサートヒータ８の設置を容易にするばかりでなく、液体が凍結したときに生じる氷の圧力のせいで吸入パイプ２１が損傷することがなく、また、凍結した液体によって引き起こされる曲げ運動に損傷を受けることなく耐えられることにもつながる。接続配管２２、２３が少なくとも１０ｃｍの長さで、特に少なくとも２０ｃｍの長さで、好ましくは少なくとも３０ｃｍの長さで、吸入パイプ２１に沿って延びており、吸入パイプで支持されていると特別に好ましい。
【００２２】
図示した実施例では、接続配線２３は吸入パイプ２１の外套面に配置されている。従って、接続配線２３から遊離した熱は特にこれに接する氷へと放出されるので、吸入パイプ２１に沿って、溶解により格別に迅速に通路を空けることができる。吸入パイプ２１およびその外套面に配置された接続配線２３は、接続配線２３を吸入パイプ２１に押し付けるプラスチック外装２４で取り囲まれている。プラスチック外装２４は熱収縮チューブであるのが好ましい。そのようにして、接続配線２３と吸入パイプ２１との格別に優れた熱結合を実現することができるので、オーム抵抗発熱体としての接続配線２３によって生成される熱を、吸入パイプ２１へより良く放出することもできるからである。
【００２３】
他方の接続配線２２は、もっとも単純な場合には溝として構成されていてよい、吸入パイプ２１の通路の中に配置されている。他方の接続配線２２は通路の中で全周を取り囲まれているのが好ましく、この場合、吸入パイプ２１は液体を輸送するためのさらに別の通路を有している。このようにして、接続配線２２と吸入パイプ２１との格別に良好な熱結合が成立する。接続配線２２のための通路を構成するために、または、既存の通路を開口させて、接続配線２２をより容易に通路へ挿入できるようにするために、吸入パイプ２１の外套面に刻み目をつけることができ、それにより、接続配線２２が中に挿入されるスリットが生じる。
【００２４】
こうして形成されたスリットの縁部は、ゴム弾性的なプラスチックを使用していれば接続配線２２の挿入後に自然に閉じるので、吸入パイプ２１は長手方向に延びる継目２６を有することになり、その継目の背後に接続配線２２を備える通路が延びることになる。この継目は、たとえば溶接により、物質接合によって追加的に閉じることができる。接続配線２２のための上述した通路を形成するために、吸入パイプ２１は、液体輸送をする通路まで達する破断部が生じない程度にのみ、刻み目がつけられる。図示した実施例では、両方の接続配線２２、２３は巻回されずに、すなわち実質的に直線状に、吸入パイプ２１の長手方向に延びている。
【００２５】
吸入パイプ２１の外套面に刻み目をつけることによってスリットをつくる代わりに、たとえば押出成形により、接続配線２２、２３を中に挿入することができる開いた外套面を備える吸入パイプを製作することもできる。
【００２６】
図示した実施例では、吸入パイプ２１は、接続配線２２のための通路と並んで、ただ１つではなく２つの別々の通路を液体輸送のために含んでいる。すなわち吸入パイプ２０はその吸入端部が、インサートヒータ８のハウジング２０から外へ突出している。図１に示すように、図示したインサートヒータ８が、尿素タンク３の中に配置された融解容器９の中に設置されているとき、吸入パイプ２１はその吸入端部が用途に即して融解容器９の開口部（図示せず）を貫通して、尿素タンク３の中へ突入する。図２に示すように、吸入パイプ２１の外套面には吸入開口部２５があり、この吸入開口部を通して、液体輸送のための両方の通路のうちの一方へ液体を吸入することができる。液体輸送をするための第２の通路は、用途に即して尿素タンク３に突入している吸入パイプ２１の端部に吸入開口部２５を有している。
【００２７】
図３には、図２に示している吸入パイプ２１の断面Ａ−Ａに沿った断面図が模式的に示されている。この図面に見られるように、吸入パイプ２１は３つの別々の通路を含んでいる。これらの通路のうち吸入パイプの液体輸送通路３１では、その中に配置された接続配線２２と、当該通路３１を閉止する継目２６とが図示されている。液体輸送をするための両方の通路２７、２８も、図３に同じく示されている。吸入パイプ２１の吸入端部では、通路２８は閉止されている。この通路２７、２８には、図２に示す吸入開口部２５を通って液体が到達することができるからである。用途に即した組付けがなされているとき、通路（吸入パイプの液体輸送通路）２７の開口部を通じて液体を尿素タンク３から吸入することができる。
【００２８】
吸入開口部２５は、吸入パイプ２１の吸入端部から少なくとも１ｃｍ、好ましくは数ｃｍ離れている。インサートヒータ８が用途に即して融解容器９の中に配置されているとき、吸入開口部２５を通じて液体を融解容器から、また、第２の液体輸送通路の吸入開口部（吸入パイプの液体輸送通路）２７を通じて液体を尿素タンク３から、それぞれ吸入することができる。このようにして、尿素タンク３の中で液体が凍結したときには、液体が融解容器９から自動的に輸送される。
【００２９】
吸入パイプ２１の両方の液体輸送通路２７、２８の断面積の比率を選択することにより、簡単なやり方で、液体輸送の定義された流動比率を成立させることができる。
【００３０】
インサートヒータ８のハウジング２０は、腐食作用のある尿素溶液からハウジングを防護するプラスチック外套を有する金属ハウジングである。ハウジング２０を起点として延びる接続配線２２、２３は、液体がハウジング２０の中へ侵入する可能性がある、潜在的な漏れ部位を形成している。従って図示した実施例では、ハウジング２０は接続配線２２、２３を取り囲むシール材によって、液体が侵入しないように封止されている。
【００３１】
図４は、ハウジング２０の封止部と接続配線２２、２３を模式的に示している。接続配線２２、２３は、接続配線２２、２３に外嵌されたプラスチック成形品であるシール材２９でそれぞれ取り囲まれている。
【００３２】
図４に示すように、シール材を形成するプラスチック成形品２９は、同じく接続配線２２、２３に外嵌されたプラスチックキャップ３０を支持している。プラスチック成形品２９は、接続配線２２、２３を取り囲むテーパ状の区域と、これよりも幅広の底面リングとを有している。テーパ状の区域は、ハウジング２０から離れていくほうを向く、プラスチックキャップ３０で取り囲まれた先細の端部を有している。プラスチックキャップ３０は組立時にプラスチック成形品２９に上から押し嵌められ、それにより、プラスチック成形品はテーパ状の区域があることで、接続配線２２、２３のプラスチック外套に対して封止をするように押圧される。このようにして、プラスチック成形品２９はそれぞれの接続配線２２、２３を、プラスチックキャップ３０で取り囲まれた区域で取り囲み、このとき、プラスチックキャップ３０から及ぼされる圧着力は、接続配線２２、２３に沿ってハウジング２０に向かうにつれて増大していく。このことは、プラスチックキャップ３０が円錐台状に狭くなる内部空間を有しており、この内部空間に、円筒状の区域またはそれほど強く先細になっていない区域を備えるプラスチック成形品２９が押し込まれることによっても実現することができる。
【００３３】
底面リングはハウジング２０に対して封止をする。プラスチックキャップ３０が組立時に図４に示す位置に達すると、プラスチックキャップ３０はハウジング２０のプラスチック外套と物質接合により結合され、好ましくは溶接される。特にプラスチック外套２０とプラスチックキャップ３０との溶接により、信頼度の高い封止を惹起することができる。
【図面の簡単な説明】
【００３４】
【図１】自動車の排ガス浄化触媒装置のための本発明による尿素供給システムを示す模式図である。
【図２】図１に示す尿素供給システムのインサートヒータの一実施例を示す模式図である。
【図３】図２のＡ−Ａ断面に沿った吸入パイプの断面図である。
【図４】加熱ハウジングにおける電気的接続配線の封止部を示す模式図である。
【符号の説明】
【００３５】
１  排ガス浄化触媒装置
２  尿素供給システム
３  尿素タンク
４  フィードバック配管
５  ポンプ
６、１１  接続配管
７  接続配管６の接続部
８  インサートヒータ
９  融解容器
１０  制御弁
１２  空気備蓄部
１３  空気圧縮機
１４  調量弁
１５  制御ユニット
１６  プローブ
１８  弁
２０  ハウジング
２１  吸入パイプ
２２  電気的接続配線
２３  電気的接続配線
２４  プラスチック外装
２５  吸入開口部
２６  継目
２７、２８、３１  吸入パイプの液体輸送通路
２９  プラスチック成形品（シール材）
３０  プラスチックキャップ
【図１】
2008293978.tif 000003
【図２】
2008293978.tif 000004
【図３】
2008293978.tif 000005
【図４】
2008293978.tif 000006
【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
液体を融解するためのインサートヒータであって、
ハウジング（２０）の中に配置された少なくとも１つの発熱体と、
液体に浸けるために前記ハウジング（２０）に取り付けられたプラスチック製の吸入パイプ（２１）と、
前記ハウジング（２０）を起点として前記吸入パイプ（２１）に沿って延びる少なくとも１つの電気的接続配線（２２、２３）とを備えてなる、インサートヒータにおいて、
前記吸入パイプ（２１）は少なくとも１つの前記接続配線（２２、２３）を支持していることを特徴とするインサートヒータ。
【請求項２】
前記吸入パイプ（２１）は、前記ハウジング（２０）を起点として吸入方向に自立式に延びて少なくとも１つの前記接続配線（２２、２３）を支持する区域を有していることを特徴とする請求項１記載のインサートヒータ。
【請求項３】
前記吸入パイプ（２１）は前記ハウジング（２０）で支持される別の区域を有しており、自立式の前記区域は支持される前記区域より少なくとも２倍長く、好ましくは少なくとも３倍長いことを特徴とする請求項２記載のインサートヒータ。
【請求項４】
前記吸入パイプ（２１）は、液体を輸送するための通路（２７、２８）と、少なくとも１つの前記接続配線（２２）が中に配置された別の通路（３１）とを有していることを特徴とする請求項１〜３のいずれか１項に記載のインサートヒータ。
【請求項５】
前記吸入パイプ（２１）は継目（２６）を有しており、該継目の背後に前記別の通路（３１）が少なくとも１つの前記接続配線（２２）とともに延びていることを特徴とする請求項４記載のインサートヒータ。
【請求項６】
少なくとも１つの前記接続配線（２２、２３）は前記吸入パイプ（２１）の外套面に配置されていることを特徴とする請求項１〜５のいずれか１項に記載のインサートヒータ。
【請求項７】
第１の接続配線（２２）は前記別の通路（３１）に配置されており、第２の接続配線（２３）は前記吸入パイプ（２１）の外套面に配置されていることを特徴とする請求項４および６記載のインサートヒータ。
【請求項８】
前記吸入パイプ（２１）はプラスチック外装（２４）で取り囲まれていることを特徴とする請求項１〜７のいずれか１項に記載のインサートヒータ。
【請求項９】
前記プラスチック外装（２４）は熱収縮チューブであることを特徴とする請求項８記載のインサートヒータ。
【請求項１０】
少なくとも１つの前記接続配線（２２、２３）は抵抗発熱材料でできており、好ましくは特殊鋼でできていることを特徴とする請求項１〜９のいずれか１項に記載のインサートヒータ。
【請求項１１】
少なくとも１つの前記接続配線（２２、２３）は１メートルあたり０．３Ω〜２．５Ωの電気抵抗を有していることを特徴とする請求項１〜１０のいずれか１項に記載のインサートヒータ。
【請求項１２】
前記ハウジング（２０）はプラスチック外套を備える金属ハウジングであることを特徴とする請求項１〜１１のいずれか１項に記載のインサートヒータ。
【請求項１３】
前記ハウジング（２０）は少なくとも１つの前記接続配線（２２、２３）を取り囲むシール材（２９）によって液体の侵入に対して封止されており、前記シール材（２９）は前記接続配線（２２、２３）に外嵌されたプラスチック成形品であることを特徴とする請求項１〜１２のいずれか１項に記載のインサートヒータ。
【請求項１４】
前記プラスチック成形品（２９）はプラスチックキャップ（３０）を支持していることを特徴とする請求項１３記載のインサートヒータ。
【請求項１５】
少なくとも１つの前記接続配線（２２、２３）は巻回されずに前記吸入パイプ（２１）の長手方向に延びていることを特徴とする請求項１〜１４のいずれか１項に記載のインサートヒータ。
【請求項１６】
特に自動車の内燃機関の排ガス浄化触媒装置（１）のための尿素供給システムであって、
尿素溶液を収容するための尿素タンク（３）と、
凍結した尿素溶液を融解するための請求項１〜１５のいずれか１項に記載のインサートヒータ（８）と、
前記インサートヒータ（８）の吸入パイプ（２１）を前記排ガス浄化触媒装置（１）と接続する接続配管（６、１１）と、
前記接続配管（６、１１）を通じて尿素溶液を前記尿素タンク（３）から前記触媒装置（１）へ送り出すためのポンプ（５）と、
前記接続配管（２２、２３）から分岐して前記尿素タンク（３）へと通じるフィードバック配管（４）とを備えている、そのような尿素供給システムにおいて、
前記フィードバック配管（４）は、作動時に前記フィードバック配管（４）から外に出る尿素溶液が前記吸入パイプ（２１）を伝って流れ落ちるように構成されて配置されていることを特徴とする尿素供給システム。